(57)【特許請求の範囲】
【請求項１】
被写体を撮像して該被写体の画像データを生成する撮像部と、
無線通信可能な通信装置との間で無線通信を行う無線通信部と、
前記撮像部の撮像視野に含まれる平面状の領域であって無線通信が可能な平面状の領域である通信可能領域を視認可能な態様で示すための領域情報を生成する領域情報生成部と、
前記撮像部が生成した画像データに基づいて、前記通信可能領域に位置する前記通信装置を検出する検出部と、
前記無線通信部に前記検出部が検出した前記通信装置との間で無線通信を行わせる制御部と、
を備えたことを特徴とする撮像装置。
【請求項２】
前記通信可能領域を該領域の周辺領域と識別可能に照明する照明光を発生する照明光発生部をさらに備え、
前記領域情報は、前記照明光発生部が発生する照明光の照射領域を設定する情報であることを特徴とする請求項１に記載の撮像装置。
【請求項３】
前記領域情報生成部は、
前記通信可能領域の設定情報を含むフィードバック信号を生成し、
前記制御部は、
前記領域情報生成部が生成したフィードバック信号を、前記無線通信部に対して送信先を特定せずに定期的に送信させることを特徴とする請求項１に記載の撮像装置。
【請求項４】
前記通信可能領域内に位置する前記通信装置との通信設定を開始する信号の入力を受け付ける入力部をさらに備え、
前記制御部は、
前記入力部が前記信号の入力を受け付けた場合、前記無線通信部を介して通信設定に必要な通信情報を前記通信可能領域内に位置する前記通信装置へ送信するとともに該通信装置からの通信情報の送信を要求する信号を該通信装置へ送信する制御を行うことを特徴とする請求項３に記載の撮像装置。
【請求項５】
前記撮像部が生成する画像データを表示可能な表示部をさらに備え、
前記制御部は、
前記表示部が前記画像データのライブビュー表示を行っている状態で、前記検出部が検出した前記通信装置を識別可能に表示させることを特徴とする請求項１〜４のいずれか一項に記載の撮像装置。
【請求項６】
前記制御部は、
前記無線通信部が通信対象の前記通信装置に対してデータを送信中である場合、データ送信中であることを示す情報を前記表示部に表示させることを特徴とする請求項５に記載の撮像装置。
【請求項７】
無線通信可能であるとともに該無線通信の通信可能領域を設定可能であり、被写体を撮像して該被写体の画像データを生成する撮像装置との間で無線通信を行う通信装置であって、
無線信号の送受信を行う無線通信部と、
当該通信装置の識別情報を記憶する識別情報記憶部と、
前記識別情報を含む情報を表示可能な表示部と、
前記無線通信部が前記撮像装置から受信した前記通信可能領域の設定情報に基づいて該通信可能領域の境界を判定し、該境界が前記表示部を通過する場合、該境界を前記表示部に模式的に表示させる制御を行う制御部と、
を備えたことを特徴とする通信装置。
【請求項８】
前記識別情報は、
当該通信装置および前記表示部の大きさおよび形状に関する情報、前記表示部における当該識別情報の表示位置の情報、当該識別情報の表示位置の中心と前記通信装置の代表位置との距離に関する情報、ならびに前記表示部が有する表示画面の向きに関する情報を含むことを特徴とする請求項７に記載の通信装置。
【請求項９】
前記制御部は、
前記表示部に、当該通信装置を前記通信可能領域へ案内する案内情報を表示させることを特徴とする請求項７または８に記載の通信装置。
【発明の詳細な説明】
【技術分野】
【０００１】
本発明は、被写体を撮像して電子的な画像データを生成する撮像装置、および該撮像装置と無線通信可能な通信装置に関する。
【背景技術】
【０００２】
被写体を撮像して電子的な画像データを生成する撮像装置において、他のデバイスと無線通信を行う機能を有するものが知られている。無線通信を行う際には、通信対象のデバイスとの間で通信設定を適切に行う必要がある。例えば、下記特許文献１では、通信対象のデバイスの表示部が、そのデバイスと通信するために必要な情報をバーコードで表示する一方、撮像装置がそのデバイスで表示されるバーコードを撮像し、そのバーコードに含まれる情報を取得することにより、撮像装置とデバイスとの通信設定を行う技術が開示されている。
【先行技術文献】
【特許文献】
【０００３】
【特許文献１】特開２００３−１６９１８７号公報
【発明の概要】
【発明が解決しようとする課題】
【０００４】
しかしながら、上記特許文献１に記載の技術では、デバイスのユーザは、撮像装置がデバイス情報を正確に取得するためにそのデバイスを配置する位置に関する情報を直接的に把握することができなかった。このため、デバイスのユーザは、撮像装置のユーザの指示にしたがってデバイスの位置を調整しなければならなかった。
【０００５】
本発明は、上記に鑑みてなされたものであって、無線通信の対象とするデバイスを撮像することによって該デバイスとの通信設定を容易に行うことができる撮像装置、および該撮像装置と無線通信可能な通信装置を提供することを目的とする。
【課題を解決するための手段】
【０００６】
上述した課題を解決し、目的を達成するために、本発明に係る撮像装置は、被写体を撮像して該被写体の画像データを生成する撮像部と、無線通信可能な通信装置との間で無線通信を行う無線通信部と、前記撮像部の撮像視野に含まれる平面状の領域であって無線通信が可能な平面状の領域である通信可能領域を視認可能な態様で示すための領域情報を生成する領域情報生成部と、前記撮像部が生成した画像データに基づいて、前記通信可能領域に位置する前記通信装置を検出する検出部と、前記無線通信部に前記検出部が検出した前記通信装置との間で無線通信を行わせる制御部と、を備えたことを特徴とする。
【０００７】
本発明に係る撮像装置は、上記発明において、前記通信可能領域を該領域の周辺領域と識別可能に照明する照明光を発生する照明光発生部をさらに備え、前記領域情報は、前記照明光発生部が発生する照明光の照射領域を設定する情報であることを特徴とする。
【０００８】
本発明に係る撮像装置は、上記発明において、前記領域情報生成部は、前記通信可能領域の設定情報を含むフィードバック信号を生成し、前記制御部は、前記領域情報生成部が生成したフィードバック信号を、前記無線通信部に対して送信先を特定せずに定期的に送信させることを特徴とする。
【０００９】
本発明に係る撮像装置は、上記発明において、前記通信可能領域内に位置する前記通信装置との通信設定を開始する信号の入力を受け付ける入力部をさらに備え、前記制御部は、前記入力部が前記信号の入力を受け付けた場合、前記無線通信部を介して通信設定に必要な通信情報を前記通信可能領域内に位置する前記通信装置へ送信するとともに該通信装置からの通信情報の送信を要求する信号を該通信装置へ送信する制御を行うことを特徴とする。
【００１０】
本発明に係る撮像装置は、上記発明において、前記撮像部が生成する画像データを表示可能な表示部をさらに備え、前記制御部は、前記表示部が前記画像データのライブビュー表示を行っている状態で、前記検出部が検出した前記通信装置を識別可能に表示させることを特徴とする。
【００１１】
本発明に係る撮像装置は、上記発明において、前記制御部は、前記無線通信部が通信対象の前記通信装置に対してデータを送信中である場合、データ送信中であることを示す情報を前記表示部に表示させることを特徴とする。
【００１２】
本発明に係る通信装置は、無線通信可能であるとともに該無線通信の通信可能領域を設定可能であり、被写体を撮像して該被写体の画像データを生成する撮像装置との間で無線通信を行う通信装置であって、無線信号の送受信を行う無線通信部と、当該通信装置の識別情報を記憶する識別情報記憶部と、前記識別情報を含む情報を表示可能な表示部と、前記無線通信部が前記撮像装置から受信した前記通信可能領域の設定情報に基づいて該通信可能領域の境界を判定し、該境界が前記表示部を通過する場合、該境界を前記表示部に模式的に表示させる制御を行う制御部と、を備えたことを特徴とする。
【００１３】
本発明に係る通信装置は、上記発明において、前記識別情報は、当該通信装置および前記表示部の大きさおよび形状に関する情報、前記表示部における当該識別情報の表示位置の情報、当該識別情報の表示位置の中心と前記通信装置の代表位置との距離に関する情報、ならびに前記表示部が有する表示画面の向きに関する情報を含むことを特徴とする。
【００１４】
本発明に係る通信装置は、上記発明において、前記制御部は、前記表示部に、当該通信装置を前記通信可能領域へ案内する案内情報を表示させることを特徴とする。
【発明の効果】
【００１５】
本発明によれば、撮像部の撮像視野内の平面状の領域であって無線通信が可能な平面状の領域である通信可能領域を視認可能な態様で示すための領域情報を生成しているため、ユーザは通信可能領域を視認することができるようになる。したがって、無線通信の対象とするデバイスを撮像することによって該デバイスとの通信設定を容易に行うことができる。
【図面の簡単な説明】
【００１６】
【図１】図１は、本発明の実施の形態１に係る撮像装置を含む通信システムの構成を示す図である。
【図２】図２は、本発明の実施の形態１に係る撮像装置の機能構成を示すブロック図である。
【図３】図３は、本発明の実施の形態１に係る撮像装置の利用シーンを模式的に示す図である。
【図４】図４は、通信可能領域付近の状況をより詳細に示す図である。
【図５】図５は、本発明の実施の形態１に係る撮像装置が画像データを送信する際の表示部における表示内容の変化を示す図である。
【図６】図６は、携帯端末が画像データを受信する際の表示部における表示内容の変化を示す図である。
【図７】図７は、本発明の実施の形態１に係る撮像装置が行う処理の概要を示すフローチャートである。
【図８】図８は、本発明の実施の形態１に係る撮像装置が行う撮影データ送信処理の概要を示すフローチャートである。
【図９】図９は、本発明の実施の形態１に係る撮像装置が行うデータ受信処理の詳細を示すフローチャートである。
【図１０】図１０は、本発明の実施の形態１に係る撮像装置が行うデータ送信処理の詳細を示すフローチャートである。
【図１１】図１１は、本発明の実施の形態１に係る撮像装置が行う通信設定処理の詳細を示すフローチャートである。
【図１２】図１２は、本発明の実施の形態１に係る撮像装置が行う条件設定処理の詳細を示すフローチャートである。
【図１３】図１３は、携帯端末が撮像装置との通信設定時に行う処理の概要を示すフローチャートである。
【図１４】図１４は、本発明の実施の形態１に係る撮像装置が画像データを送信する際の表示部における表示内容の変化の別な例を示す図である。
【図１５】図１５は、本発明の実施の形態２に係る撮像装置の機能構成を示すブロック図である。
【図１６】図１６は、本発明の実施の形態２に係る携帯端末の機能構成を示すブロック図である。
【図１７】図１７は、本発明の実施の形態２に係る撮像装置の通信可能領域付近の状況を示す図である。
【図１８】図１８は、本発明の実施の形態２に係る携帯端末の表示部におけるより詳細な画面の遷移例を示す図である。
【図１９】図１９は、本発明の実施の形態２に係る通信システムが行う通信の概要を示すシーケンス図である。
【図２０】図２０は、本発明の実施の形態２に係る撮像装置が行う通信設定処理の概要を示すフローチャートである。
【図２１】図２１は、ライブビューにおける通信可能領域の表示部における表示例を示す図である。
【図２２】図２２は、本発明の実施の形態２に係る撮像装置が判定を行っている最中の表示部における画面遷移例を示す図である。
【図２３】図２３は、本発明の実施の形態２に係る携帯端末が行う通信設定時処理の概要を示すフローチャートである。
【図２４】図２４は、本発明の実施の形態２に係る撮像装置がいったん認識した携帯端末をユーザの選択によって通信対象から除外できるようにした場合の画面遷移例を示す図である。
【図２５】図２５は、本発明の実施の形態２に係る携帯端末の表示部が案内情報を表示する場合の画面の遷移例を示す図である。
【発明を実施するための形態】
【００１７】
以下、添付図面を参照して、本発明を実施するための形態（以下、「実施の形態」という）を説明する。
【００１８】
（実施の形態１）
図１は、本発明の実施の形態１に係る撮像装置を含む通信システムの構成を示す図である。同図に示す通信システム１００は、撮像装置１と、撮像装置１と無線通信可能な複数の通信装置である携帯端末３とを有する。撮像装置１と携帯端末３との通信は、所定の通信プロトコルにしたがって行われる。通信システム１００では、撮像装置１と無線通信可能な通信可能領域Ｓ内に位置する携帯端末３のみが撮像装置１と無線通信を行うことができる。
【００１９】
図２は、撮像装置１の機能構成を示すブロック図である。同図に示す撮像装置１は、被写体を撮像して電子的な画像データを生成するデジタルカメラである。撮像装置１は、撮像部１１と、信号処理部１２と、Ａ／Ｄ変換部１３と、画像処理部１４と、ＡＥ処理部１５と、ＡＦ処理部１６と、画像圧縮伸張部１７と、入力部１８と、検出部１９と、無線通信部２０と、照明光発生部２１と、表示部２２と、表示駆動部２３と、音声出力部２４と、記録媒体２５と、メモリＩ／Ｆ２６と、ＳＤＲＡＭ（Synchronous  Dynamic  Random  Access  Memory）２７と、Ｆｌａｓｈメモリ２８と、領域情報生成部２９と、制御部２Ｃと、を備える。撮像装置１内部のデータの転送は、バス２Ｂを介して行われる。
【００２０】
撮像部１１は、所定の視野領域から来る光を集光する光学系と、光学系が集光した光を受光して電気信号（アナログ信号）に変換する撮像素子とを有し、変換した電気信号を画像データとして信号処理部１２に出力する。撮像素子は、ＣＣＤ（Charge  Coupled  Device）またはＣＭＯＳ（Complementary  Metal  Oxide  Semiconductor）等を用いて構成される。
【００２１】
信号処理部１２は、撮像部１１から入力される電気信号に対してアナログ処理を施す。このアナログ処理には、リセットノイズ等を低減するノイズ低減処理、波形整形処理、目的の明るさとするためのゲインアップ処理等が含まれる。
【００２２】
Ａ／Ｄ変換部１３は、信号処理部１２から入力されるアナログ信号に対してＡ／Ｄ変換を行うことによってデジタルの画像データを生成し、ＳＤＲＡＭ２７に出力する。
【００２３】
画像処理部１４は、ＳＤＲＡＭ２７から画像データを取得し、取得した画像データ（ＲＡＷデータ）に対して各種の画像処理を行う。処理済みの画像データは、ＳＤＲＡＭ２７に出力される。画像処理部１４は、画像データに対して、オプティカルブラック減算処理、ホワイトバランス（ＷＢ）調整処理、カラーマトリクス演算処理、ガンマ補正処理、色再現処理およびエッジ強調処理等を含む基本の画像処理を行う。
【００２４】
ＡＥ処理部１５は、ＳＤＲＡＭ２７に記録された画像データを取得し、取得した画像データに基づいて、静止画撮影または動画撮影を行う際の露出条件を設定する。具体的には、ＡＥ処理部１５は、画像データから輝度を算出し、算出した輝度に基づいて、例えば絞り値（Ｆ値）の設定値、シャッタ速度等を決定することで撮像装置１の自動露出を行う。
【００２５】
ＡＦ処理部１６は、ＳＤＲＡＭ２７に記録された画像データを取得し、取得した画像データに基づいて、撮像装置１の自動焦点の調整を行う。例えば、ＡＦ処理部１６は、画像データから高周波成分の信号を取り出し、高周波成分の信号に対してＡＦ演算処理（コントラストＡＦ処理とも呼ばれる）を行うことによって、撮像装置１の合焦評価を決定することで撮像装置１の自動焦点の調整を行う。
【００２６】
画像圧縮伸張部１７は、ＳＤＲＡＭ２７から画像データを取得し、取得した画像データに対して所定の形式にしたがって圧縮し、この圧縮した画像データをＳＤＲＡＭ２７に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮伸張部１７は、バス２ＢおよびメモリＩ／Ｆ２６を介して記録媒体２５に記録された画像データ（圧縮画像データ）を取得し、取得した画像データを伸張してＳＤＲＡＭ２７に出力する。なお、記録媒体２５の代わりに撮像装置１の内部に記憶部を設けてもよい。
【００２７】
入力部１８は、表示部２２の表示画面上に重ねて設けられ、外部からの接触位置に応じた信号の入力を受け付けるタッチパネル１８１と、音声を入力するマイクロフォン等によって構成される音声入力部１８２とを有する。入力部１８には、静止画撮影時の撮影信号の入力を受け付けるレリーズボタン、各種設定を切り替える操作ボタン、撮像装置１の各種設定を表示部２２に表示させるメニューボタン、撮像部１１のズームの切り替えを行うズームボタンやズームリング、動画撮影の指示を与える動画ボタンなどが含まれる。
【００２８】
検出部１９は、撮像部１１が撮像した画像データを解析し、照明光発生部２１による照明光の照射範囲内に含まれる携帯端末３を通信相手として特定し、特定した携帯端末３と通信するための情報を制御部２Ｃへ出力する。なお、検出部１９が判定を行う画像データは、画像処理部１４が画像処理を施す前のデータでもよいし、画像処理部１４が画像処理を施した後のデータでもよい。また、検出部１９は、画像中に鮮鋭に写っている携帯端末３のみを通信相手として特定するようにしてもよい。
【００２９】
無線通信部２０は、制御部２Ｃの制御のもと、無線可能な外部の通信装置との間で画像データや通信に必要な信号を含む各種データの無線通信を所定のプロトコルにしたがって行う。
【００３０】
照明光発生部２１は、制御部２Ｃによって光量と照射角とが制御され、撮像装置１と無線通信可能な領域（通信可能領域）を該領域の周辺領域と識別可能に照明する。なお、撮像装置１がフラッシュまたはＡＦ用のＬＥＤを具備している場合には、そのフラッシュまたはＬＥＤに照明光発生部２１の機能を持たせてもよい。
【００３１】
表示部２２は、液晶または有機ＥＬ（Electro  Luminescence）等を用いて構成される。表示部２２は、撮影直後の画像データに対応する画像を所定時間（例えば３秒間）だけ表示するレックビュー表示、記録媒体２５に記録された画像データを再生する再生表示、および撮像部１１が連続的に生成する画像データに対応する画像を時系列に沿って順次表示するライブビュー表示等を行うことが可能である。また、表示部２２は、撮像装置１の操作情報および撮影に関する情報を適宜表示する。表示部２２は、矩形状をなす表示画面を有する。なお、表示画面の形状は矩形状に限られるわけではない。
【００３２】
表示駆動部２３は、ＳＤＲＡＭ２７が記憶する画像データまたは記録媒体２５が記憶する画像データを取得し、取得した画像データに対応する画像を表示部２２に表示させる。
【００３３】
音声出力部２４は、スピーカ等によって構成される。
【００３４】
記録媒体２５は、撮像装置１の外部からメモリＩ／Ｆ２６を介して撮像装置１に着脱自在に装着されるメモリカード等を用いて構成される。記録媒体２５には、画像処理部１４および画像圧縮伸張部１７が処理を施した画像データが書き込まれる。
【００３５】
ＳＤＲＡＭ２７は、揮発性メモリを用いて構成される。ＳＤＲＡＭ２７は、バス２Ｂを介してＡ／Ｄ変換部１３から入力される画像データ、画像処理部１４から入力される処理画像データおよび撮像装置１の処理中の情報を一時的に記憶する一時記憶部としての機能を有する。例えば、ＳＤＲＡＭ２７は、信号処理部１２、Ａ／Ｄ変換部１３およびバス２Ｂを介して、撮像部１１が１フレーム毎に順次出力する画像データを一時的に記憶する。
【００３６】
Ｆｌａｓｈメモリ２８は、不揮発性メモリを用いて構成され、撮像装置１を動作させるための各種プログラム、および各種プログラムの実行中に使用されるデータおよび画像処理部１４による画像処理の動作に必要なパラメータ等を記憶する。
【００３７】
領域情報生成部２９は、照明光発生部２１が発生する照明光の照射領域を設定する情報である領域情報を生成する。領域情報は、例えば照明光発生部２１が発生する照明光の照射角に関する情報を含む。
【００３８】
制御部２Ｃは、ＣＰＵ（Central  Processing  Unit）等を用いて構成され、バス２Ｂを介して撮像装置１の各構成部位に対して制御信号や各種データの送信を行うことにより、撮像装置１の動作を統括的に制御する。制御部２Ｃは、無線通信部２０に、検出部１９が検出した携帯端末３との間で無線通信を行わせる。また、制御部２Ｃは、計時機能を有するタイマーを含む。
【００３９】
制御部２Ｃは、入力部１８から撮影動作の開始信号が入力された場合、撮影動作を開始する制御を行う。ここでいう撮影動作とは、撮像部１１が出力した画像データに対し、信号処理部１２、Ａ／Ｄ変換部１３および画像処理部１４が所定の処理を施す動作のことである。信号処理部１２、Ａ／Ｄ変換部１３および画像処理部１４によって所定の処理が施された画像データは、制御部２Ｃの制御のもと、画像圧縮伸張部１７で所定の形式にしたがって圧縮され、バス２ＢおよびメモリＩ／Ｆ２６を介して記録媒体２５に記録される。なお、記録媒体２５とは別に撮像装置１の内部に所定の記録領域を確保し、この記録領域に圧縮した画像データを記憶するようにしてもよい。
【００４０】
次に、携帯端末３の機能構成を説明する。携帯端末３は、撮像部３１、信号処理部３２、Ａ／Ｄ変換部３３、画像処理部３４、ＡＥ処理部３５、ＡＦ処理部３６、画像圧縮伸張部３７、入力部３８、検出部３９、無線通信部４０、照明光発生部４１、表示部４２、表示駆動部４３、音声出力部４４、記録媒体４５、メモリＩ／Ｆ４６、ＳＤＲＡＭ４７、Ｆｌａｓｈメモリ４８、および制御部４９を備える。また、入力部３８は、タッチパネル３８１と、音声入力部３８２とを有する。携帯端末３内部のデータの転送は、バス３Ｂを介して行われる。携帯端末３の各構成要素は、撮像装置１の同じ名称の構成要素（図２を参照）と同様の機能を有している。このような機能構成を有する携帯端末３は、例えばスマートフォン、携帯電話、タブレット型携帯機器などであり、撮像装置１であってもよい。なお、図面では、便宜上携帯端末３がスマートフォンであるとして記載しているが、これはあくまでも一例に過ぎない。
【００４１】
図３は、以上の構成を有する撮像装置１の利用シーンを模式的に示す図である。例えばパーティのように人が多く集まっている場所で、撮像装置１のユーザが、撮影した画像データを他の人に送信したい状況が生じた場合、撮像装置１は、通信可能領域Ｓに置かれた携帯端末３に対してのみ画像データを送信する。この場合、撮像装置１のユーザは、照明光発生部２１で発生した照明光をテーブル上のような平面状領域に照射することによって通信可能領域Ｓを携帯端末３のユーザに知らせる。携帯端末３のユーザは、撮像装置１が照射する照明光の照射領域に携帯端末３を移動させることによって携帯端末３を撮像装置１と無線通信可能な状態に設定する。
【００４２】
図４は、通信可能領域Ｓ付近の状況をより詳細に示す図である。図４では、薄暗い部屋の中で撮像装置１が照明光を発生して通信可能領域Ｓをその周辺領域と識別可能に照明している状況を示している。図４に示す場合、携帯端末３ａ、３ｂは、通信可能領域Ｓの内部に完全に入っている。これに対し、携帯端末３ｃは、一部のみが通信可能領域Ｓに入っている。また、携帯端末３ｄは、通信可能領域Ｓに全く入っていない。この場合、携帯端末３ｃ、３ｄのユーザは、撮像装置１と無線通信を行うことができるようにするために、通信可能領域Ｓの内部に携帯端末３ｃ、３ｄをそれぞれ動かせばよい。なお、図４において、携帯端末３ａ〜３ｄは、携帯端末３と同様の機能構成を有している。以下の説明においても、複数の携帯端末３を区別する必要がある場合には、「３ａ、３ｂ、・・・」というように、各携帯端末に対して個別の符号を付与することとする。
【００４３】
図５は、撮像装置１が画像データを送信する際の表示部２２における表示内容の変化を示す図である。表示部２２は、ライブビューを表示しており、撮像装置１との間の通信可能／不可能を判別できるように表示している。表示部２２が表示する視野領域は、通信可能領域Ｓに含まれる。表示部２２は、まず携帯端末３の中で通信可能状態にある端末と通信不可能状態にある端末とを区別できるような表示を追加する。図５（ａ）では、携帯端末３ｄに通信不可能状態であることを示す画像（網掛け）が重畳表示されている。これに対して、図５（ｂ）では、すべての携帯端末３ａ〜３ｄが通信可能状態であることを示している。
【００４４】
なお、図４に示すように、通信可能領域Ｓは、一般に円形または楕円形をなしている。このため、矩形状をなす表示部２２の表示画面とは形状が異なっている。本実施の形態１では、例えば通信可能領域Ｓが表示部２２の頂点を通過する程度の大きさを有している。この場合、通信可能領域Ｓの境界（照明光の照射領域の境界）が不明瞭であっても、表示部２２の表示画面内で表示されているような携帯端末３であれば確実に通信を行うことができる。
【００４５】
図５（ｂ）に示す状態に達した後、撮像装置１のユーザが画像データの送信を開始すると、図５（ｃ）に示すように、送信している画像データＤを携帯端末３ａ〜３ｄに重畳表示しながら、その時点でのデータ送信量の全データ量に対する割合を表示する送信量表示バーＢを表示する。画像データＤは送信したデータ量の全データ量に対する割合に応じた濃淡を有している。また、送信量表示バーＢは、送信したデータ量の分だけ左から白く表示されている。図５（ｄ）は、画像データの送信が完了した状態を示す図である。図５（ｄ）では、画像データＤが図５（ｃ）よりも濃く表示されており、送信量表示バーＢもすべて白く表示されている。
【００４６】
図６は、携帯端末３が画像データを受信する際の表示部４２における表示内容の変化を示す図である。携帯端末３では、受信している画像データのデータ量の全データ量に対する割合を表示する。携帯端末３が受信を開始すると、割合がゼロから徐々に増えていく。図６（ａ）では、全データ量の５０％を受信した状態を示している。また、図６（ｂ）では、画像データの受信を完了した状態を示している。画像データの受信を完了した後、表示部４２は、実際に受信した画像データを表示する（図６（ｃ））。
【００４７】
図７は、以上の構成を有する撮像装置１が行う処理の概要を示すフローチャートである。まず制御部２Ｃは、撮像装置１の初期化を行う（ステップＳ１０１）。この初期化処理において、制御部２Ｃは、例えば動画の記録中を示す記録中フラグをオフ状態にリセットする処理等を行う。
【００４８】
続いて、入力部１８に設けられる送信ボタンが操作された場合（ステップＳ１０２：Ｙｅｓ）、撮像装置１はデータ送信処理を行う（ステップＳ１０３）。データ送信処理の詳細については後述する。ステップＳ１０３の後、撮像装置１はステップＳ１０２へ戻る。
【００４９】
ステップＳ１０２において、送信ボタンが操作されない場合（ステップＳ１０２：Ｎｏ）、撮像装置１はステップＳ１０４へ移行する。
ステップＳ１０４において、入力部１８に設けられる設定ボタンが操作された場合（ステップＳ１０４：Ｙｅｓ）、撮像装置１は、設定を変更するためのメニュー画面を表示し、ユーザの選択操作に応じて撮像装置１の各種条件を設定する条件設定処理を実行する（ステップＳ１０５）。条件設定処理の詳細については後述する。ステップＳ１０５の後、撮像装置１はステップＳ１０２へ戻る。
ステップＳ１０４において、設定ボタンが操作されない場合（ステップＳ１０４：Ｎｏ）、撮像装置１はステップＳ１０６へ移行する。
【００５０】
ステップＳ１０４で設定ボタンが操作されない場合（ステップＳ１０４：Ｎｏ）において、動画ボタンが操作されたとき（ステップＳ１０６：Ｙｅｓ）、制御部２Ｃは、動画の記録中であることを示す記録中フラグを反転させる（ステップＳ１０７）。具体的には、例えば記録中フラグがオン状態にある場合、制御部２Ｃは、その記録中フラグをオフ状態に反転させる。
【００５１】
続いて、制御部２Ｃは、ＳＤＲＡＭ２７に記録された記録中フラグがオン状態であるか否かを判断する（ステップＳ１０８）。記録中フラグがオフ状態であると判断した場合（ステップＳ１０８：Ｎｏ）、制御部２Ｃは、記録していた動画ファイルのフレーム数などを記録し、動画ファイルの生成を終了する（ステップＳ１０９）。続いて、制御部２Ｃは、撮影データを送信する（ステップＳ１１０）。
【００５２】
図８は、撮影データ送信処理の概要を示すフローチャートである。まず制御部２Ｃは、通信可能な携帯端末３が存在するか否かを判定する（ステップＳ２０１）。具体的には、制御部２Ｃは、通信可能領域に含まれる携帯端末３に関する情報が設定されているか否かを判定する。判定の結果、通信可能な携帯端末３がある場合（ステップＳ２０１：Ｙｅｓ）、制御部２Ｃは、入力部１８によって撮影データの送信指示が入力されたか否かを判定する。入力部１８によって撮影データの送信指示が入力された場合（ステップＳ２０２：Ｙｅｓ）、制御部２Ｃは、無線通信部２０を介して、通信設定済みの携帯端末３に対して、撮影データを送信する（ステップＳ２０３）。この後、撮像装置１は、メインルーチンへ戻る。
【００５３】
ステップＳ２０１で制御部２Ｃが判定した結果、通信可能な携帯端末３が存在しない場合（ステップＳ２０１：Ｎｏ）、撮像装置１はメインルーチンへ戻る。ステップＳ２０２において、入力部１８によって撮影データの送信指示が入力されない場合（ステップＳ２０２：Ｎｏ）にも、撮像装置１はメインルーチンへ戻る。
【００５４】
以上説明した撮影データ送信処理（ステップＳ１１０）の後、撮像装置１は後述するステップＳ１１２へ移行する。
【００５５】
ステップＳ１０８において、記録中フラグがオン状態であると判断した場合（ステップＳ１０８：Ｙｅｓ）を説明する。この場合、制御部２Ｃは、記録媒体２５に画像データを時系列に沿って記録するための動画ファイルを生成して記録媒体２５に格納する（ステップＳ１１１）。この後、撮像装置１はステップＳ１１２へ移行する。
【００５６】
ステップＳ１０６において、動画ボタンが操作されないとき（ステップＳ１０６：Ｎｏ）、撮像装置１はステップＳ１１２へ移行する。
【００５７】
ステップＳ１１２において、制御部２Ｃは、ＳＤＲＡＭ２７に記録された記録中フラグがオン状態であるか否かを判断する（ステップＳ１１２）。判断の結果、記録中フラグがオフ状態である場合（ステップＳ１１２：Ｎｏ）において、レリーズボタンから１ｓｔレリーズ信号が入力された場合（ステップＳ１１３：Ｙｅｓ）、制御部２Ｃは、ＡＥ処理部１５に露出を調整するＡＥ処理を実行させるとともに、ＡＦ処理部１６にピントを調整するＡＦ処理を実行させる（ステップＳ１１４）。
【００５８】
続いて、制御部２Ｃは、電源ボタンが操作されることによって撮像装置１の電源がオフされたか否かを判断する（ステップＳ１１５）。撮像装置１の電源がオフされたと制御部２Ｃが判断した場合（ステップＳ１１５：Ｙｅｓ）、撮像装置１は、本処理を終了する。これに対して、撮像装置１の電源がオフされていないと制御部２Ｃが判断した場合（ステップＳ１１５：Ｎｏ）、撮像装置１はステップＳ１０２へ戻る。
【００５９】
レリーズボタンから１ｓｔレリーズ信号が入力されない場合（ステップＳ１１３：Ｎｏ）、レリーズボタンから２ｎｄレリーズ信号が入力されたとき（ステップＳ１１６：Ｙｅｓ）、撮像装置１は、メカシャッタによる撮影を行う（ステップＳ１１７）。
【００６０】
続いて、画像処理部１４は、撮影した静止画像に対して所定の画像処理を実行する（ステップＳ１１８）。
【００６１】
この後、制御部２Ｃは、画像データをＪＰＥＧ形式で画像圧縮伸張部１７に圧縮させ、この圧縮した画像データを記録媒体２５に記録する（ステップＳ１１９）。このステップＳ１１９で、制御部２Ｃは、画像圧縮伸張部１７がＪＰＥＧ形式で圧縮した画像データに、画像処理部１４が画像処理を行っていないＲＡＷデータを対応付けて記録媒体２５に記録させるようにしてもよい。
【００６２】
この後、制御部２Ｃは、撮影データを送信する（ステップＳ１２０）。撮影データの送信処理の詳細は、ステップＳ１１０と同様である（図８を参照）。ステップＳ１２０の後、撮像装置１はステップＳ１１５へ移行する。
【００６３】
ステップＳ１１６において、レリーズボタンから２ｎｄレリーズ信号が入力されない場合（ステップＳ１１６：Ｎｏ）、制御部２Ｃは、データ受信処理を行う（ステップＳ１２１）。
【００６４】
図９は、データ受信処理の詳細を示すフローチャートである。まず制御部２Ｃは、通信対象の携帯端末３に関する情報が設定されていて、かつその携帯端末３から無線通信部２０がデータを受信しようとしているか否かを判定する（ステップＳ３０１）。ここで、無線通信部２０がデータを受信しようとしているか否かについては、例えば携帯端末３からデータの送信要求を受信しているか否かに基づいて判定することができる。判定の結果、無線通信部２０がデータを受信しようとしている場合（ステップＳ３０１：Ｙｅｓ）、制御部２Ｃは無線通信部２０にデータを受信させる（ステップＳ３０２）。一方、判定の結果、無線通信部２０がデータを受信しようとしていない場合（ステップＳ３０１：Ｎｏ）、撮像装置１はメインルーチンへ戻る。
【００６５】
その後、制御部２Ｃは、表示部２２にデータを受信したことをユーザに確認させるための確認表示を行わせる（ステップＳ３０３）。具体的には、制御部２Ｃは、受信したデータを表示部２２に一定時間（例えば３秒間）表示させる。このとき、受信したデータを表示することを示すアイコンを表示部２２が表示するようにしてもよい。また、動画記録中に受信できるようにした場合には、表示中にＯＫボタン等の所定のボタンが操作された場合に再生を開始するようにしてもよい。この後、撮像装置１はメインルーチンへ戻る。
【００６６】
以上説明したデータ受信処理（ステップＳ１２１）の後、制御部２Ｃは、ＡＥ処理部１５に露出を調整するＡＥ処理を実行させる（ステップＳ１２２）。なお、このステップＳ１２２で、ＡＦ処理部１６がＡＦ処理をさらに実行するようにしてもよい。
【００６７】
続いて、制御部２Ｃは、撮像部１１を駆動させることにより、電子シャッタによる撮影を実行する（ステップＳ１２３）。
【００６８】
この後、画像処理部１４は、撮像装置１の設定情報に基づいて画像処理を行う（ステップＳ１２４）。
【００６９】
制御部２Ｃは、画像処理部１４が処理を施した画像データに対応するライブビュー画像を表示部２２に表示させる（ステップＳ１２５）。
【００７０】
この後、撮像装置１が動画記録中である場合（ステップＳ１２６：Ｙｅｓ）、制御部２Ｃは、画像データを画像圧縮伸張部１７に圧縮させ、この圧縮した画像データを記録媒体２５に作成された動画ファイルに動画として記録させる（ステップＳ１２７）。この後、撮像装置１は、ステップＳ１１５へ移行する。これに対して、ステップＳ１２６で動画記録中でない場合（ステップＳ１２６：Ｎｏ）、撮像装置１はステップＳ１１５へ移行する。
【００７１】
ステップＳ１１２において、制御部２Ｃが判断した結果、記録中フラグがオフ状態である場合（ステップＳ１１２：Ｙｅｓ）、撮像装置１はステップＳ１２２へ移行する。
【００７２】
次に、図１０に示すフローチャートを参照して、図７に示すメインルーチンのデータ送信処理（ステップＳ１０３）の概要を説明する。まず制御部２Ｃは、記録されている静止画や動画ファイルを表示部２２にサムネイル表示させ、入力部１８によって送信する画像の選択入力を受け付ける（ステップＳ４０１）。
【００７３】
この後、制御部２Ｃは、通信設定を行う（ステップＳ４０２）。通信設定処理の詳細については後述する。
【００７４】
続いて、制御部２Ｃは、直前の通信設定において、通信する携帯端末３が設定されたか否かを判定する（ステップＳ４０３）。判定の結果、通信する携帯端末３が設定された場合（ステップＳ４０３：Ｙｅｓ）、制御部２Ｃは、無線通信部２０に対して、ステップＳ４０１で選択された画像データを、通信設定されている携帯端末３に対して送信を開始させる（ステップＳ４０４）。一方、判定の結果、通信する携帯端末３が設定されていない場合（ステップＳ４０３：Ｎｏ）、撮像装置１は、後述するステップＳ４０８へ移行する。
【００７５】
制御部２Ｃは、データ送信を開始した後、データ送信中であることを示すアニメーションを表示する（ステップＳ４０５）。この際、表示部２２はライブビューを開始し、ライブビュー画像に表示されている携帯端末３に対して、送信していることがわかるアニメーションを開始する。具体的なアニメーションの表示例として、図５（ｃ）を挙げることができる。
【００７６】
データの送信が完了した場合（ステップＳ４０６：Ｙｅｓ）、制御部２Ｃは表示部２２に送信アニメーションを終了させ、ライブビューも停止させる（ステップＳ４０７）。データの送信が完了していない場合（ステップＳ４０６：Ｎｏ）、制御部２ＣはステップＳ４０６の判断を繰り返す。
【００７７】
この後、制御部２Ｃは、データ送信処理を終了するか否かを確認するメッセージを表示部２２に表示させる。入力部１８によって終了を指示する信号が入力された場合（ステップＳ４０８：Ｙｅｓ）、撮像装置１は、データ送信処理を終了してメインルーチンへ戻る。一方、入力部１８によって終了を指示する信号が入力されない場合（ステップＳ４０８：Ｎｏ）、撮像装置１はステップＳ４０１へ戻る。
【００７８】
図１１は、上述したデータ送信処理の中で行われる通信設定処理（ステップＳ４０２）の概要を示すフローチャートである。まず制御部２Ｃは、照明光発生部２１に照明光の発生を開始させる（ステップＳ５０１）。この際、制御部２Ｃは、照明光発生部２１に対して、照明光の発生を指示する信号とともに、照射する光量および照射角を指定する信号を送信する。
【００７９】
続いて、制御部２Ｃは、表示部２２にライブビューを開始させる（ステップＳ５０２）。
【００８０】
この後、制御部２Ｃは、撮像部１１の光学系の焦点距離が変更されたか否かを判定する（ステップＳ５０３）。この際、制御部２Ｃは、入力部１８のズームボタンまたはズームリングの操作に基づいて判定を行う。光学系の焦点距離が変更された場合（ステップＳ５０３：Ｙｅｓ）、領域情報生成部２９は、その焦点距離に応じて領域情報を生成し、この生成した領域情報を照明光発生部２１に対して送信する（ステップＳ５０４）。ここで、領域情報には、少なくとも照明光発生部２１の照明光の照射角に関する情報が含まれる。照射角は、例えば焦点距離が長いほど照射範囲が狭くなるように設定される。
【００８１】
続いて、入力部１８のレリーズボタンが操作されてレリーズ信号が入力された場合（ステップＳ５０５：Ｙｅｓ）、撮像装置１は静止画撮影を行う（ステップＳ５０６）。
【００８２】
この後、検出部１９は、撮影した画像データの解析を行う（ステップＳ５０７）。具体的には、検出部１９は、撮影した画像データを解析し、照明光が照射されている通信可能領域Ｓの内部に位置する携帯端末３からのみ、通信に関する情報を読み取って取得する。検出部１９は、携帯端末３が通信可能領域Ｓ内に位置するか否かを判定する際、撮像部１１の光学系の焦点距離と、照明光の照射角情報に基づいて判定を行ってもよいし、撮像部１１が撮像した画像の輝度情報に基づいて判定を行ってもよい。
【００８３】
なお、ステップＳ５０７において、検出部１９は、一定時間以上焦点が合っていない（すなわち、一定時間以上ぼけている）携帯端末３からは情報を読み取らないようにしてもよい。焦点が一定時間以上合ってない携帯端末３は、想定外の距離にある可能性がある。このため、そのような携帯端末３からの情報を読み取らないようにすることで、撮像装置１のユーザが意図しない携帯端末３との通信が設定されるのを防止することができる。
【００８４】
また、ステップＳ５０７において、検出部１９が、レリーズボタンを押してから一定時間が経過する間に取得した複数の画像データを用いて通信に関する情報を読み取るようにしてもよい。この場合には、たとえば携帯端末３の表示部４２に表示されている色や点滅パターンなどを用いることも可能となる。
【００８５】
ステップＳ５０７に続いて、制御部２Ｃは、取得した通信に関する情報を用いることにより、携帯端末３との通信設定を行う（ステップＳ５０８）。
【００８６】
この後、制御部２Ｃは、設定の確認を促すための情報（設定確認情報）を表示部２２に表示させる（ステップＳ５０９）。このステップＳ５０９では、ライブビュー画像に、設定が完了した携帯端末３を認識することができる画像を重畳して表示する。例えば、図５（ａ）に示すように、設定が完了した携帯端末３ａ〜３ｃはライブビュー画像のままで表示する一方、設定が完了していない携帯端末３ｄには別の画像（網掛け画像）を重畳して表示するようにすればよい。なお、通信設定が完了したときに音声出力部２４が設定完了を報知する音声を出力するようにしてもよい。また、携帯端末３側でも、通信設定が完了したときに音声または光を発するようにしてもよい。
【００８７】
この後、入力部１８によって通信設定を終了する指示信号が入力された場合（ステップＳ５１０：Ｙｅｓ）、制御部２Ｃは、表示部２２にライブビューを停止させ（ステップＳ５１１）、照明光発生部２１に照明光の発生を停止させる（ステップＳ５１２）。その後、撮像装置１はデータ送信処理へ戻る。一方、入力部１８によって通信設定を終了する指示信号が入力されない場合（ステップＳ５１０：Ｎｏ）、撮像装置１は、ステップＳ５０３へ戻る。
【００８８】
以上説明した通信設定処理では、通信設定を行う携帯端末３を照明光の照射範囲に限定している。そのため、通信したい携帯端末３を撮像装置１のユーザが特定しやすい。また、撮像装置１のユーザが意図しない携帯端末３との間で通信が確立してしまうことを未然に防止することができ、より安全性の高い通信を実現することができる。
【００８９】
また、通信設定処理では、焦点距離を変更することによって照明光の照射角を変更することができるため、ユーザが自分で焦点距離を変更することにより、所望の携帯端末３とのみ通信を確立することが可能となる。
【００９０】
また、通信設定処理では、検出部１９が画像データを解析して携帯端末３との通信設定を読み取る際、ぼけて写っている携帯端末３の通信設定を読み取らないようにすることができる。これにより、撮像装置１に対して遠すぎる位置にある携帯端末３や近すぎる位置にある携帯端末３との間で通信設定が行われるのを防止することができる。したがって、この意味でも、撮像装置１のユーザが意図しない携帯端末３と通信が成立してしまうのを未然に防止することができ、安全性の高い通信を実現することができる。
【００９１】
次に、図１２に示すフローチャートを参照して、図７に示すメインルーチンの条件設定処理（ステップＳ１０５）の概要を説明する。まず制御部２Ｃは、表示部２２に設定メニューを表示させる（ステップＳ６０１）。本実施の形態１では、仕上がり、記録モード、通信および通信設定解除のいずれかを選択可能とする場合を説明するが、他の項目を設定できるようにしてもよい。
【００９２】
入力部１８によって仕上がり設定処理が選択された場合（ステップＳ６０２：Ｙｅｓ）、制御部２Ｃは仕上がり設定処理を行う（ステップＳ６０３）。仕上がり設定処理で設定される処理には、例えば画像を自然な色合いに仕上げる処理であるナチュラル、画像を色鮮やかに仕上げる処理であるビビッド、被写体の素材性を重視して仕上げる処理であるフラット、画像をモノクロ調に仕上げる処理であるモノトーンなどが含まれる。
【００９３】
この後、設定終了操作が行われた場合（ステップＳ６０４：Ｙｅｓ）、撮像装置１はメインルーチンへ戻る。一方、設定終了操作が行われない場合（ステップＳ６０４：Ｎｏ）、撮像装置１はステップＳ６０１へ戻る。
【００９４】
ステップＳ６０２で仕上がり設定処理が選択されなかった場合（ステップＳ６０２：Ｎｏ）、撮像装置１はステップＳ６０５へ移行する。
【００９５】
ステップＳ６０５において、入力部１８によって記録モード設定処理が選択された場合（ステップＳ６０５：Ｙｅｓ）、制御部２Ｃは記録モード設定処理を行う（ステップＳ６０６）。ここで、静止画の場合の記録モードは、記録対象である静止画の種類に応じて定められる。また、動画の場合の記録モードは、動画圧縮形式に応じて定められる。静止画記録モードとして、例えばＪＰＥＧ記録モード、ＪＰＥＧ＋ＲＡＷ記録モード、ＲＡＷ記録モードなどを挙げることができる。また、動画記録モードとして、例えばＭｏｔｉｏｎ−ＪＰＥＧモード、ＭＰ４（Ｈ．２６４）モードなどを挙げることができる。この後、撮像装置１は、ステップＳ６０４へ移行する。
【００９６】
ステップＳ６０５で記録モード設定処理が選択されなかった場合（ステップＳ６０５：Ｎｏ）、撮像装置１はステップＳ６０７へ移行する。
【００９７】
ステップＳ６０７において、入力部１８によって通信設定処理が選択された場合（ステップＳ６０７：Ｙｅｓ）、制御部２Ｃは、通信する携帯端末３を特定して通信設定を行う（ステップＳ６０８）。この通信設定処理は、上述した通信設定処理と同様である（図１１を参照）。その後、撮像装置１はステップＳ６０４へ移行する。
【００９８】
ステップＳ６０７で通信設定処理が選択されなかった場合（ステップＳ６０７：Ｎｏ）、撮像装置１はステップＳ６０９へ移行する。
【００９９】
ステップＳ６０９において、入力部１８によって通信設定解除処理が選択された場合（ステップＳ６０９：Ｙｅｓ）、制御部２Ｃは、通信設定の解除を行う（ステップＳ６１０）。その後、撮像装置１はステップＳ６０４へ移行する。ステップＳ６０９で通信設定解除処理が選択されなかった場合（ステップＳ６０９：Ｎｏ）、撮像装置１はステップＳ６０４へ移行する。
【０１００】
次に、携帯端末３が通信設定の際に行う処理を説明する。図１３は、携帯端末３が撮像装置１との通信設定時に行う処理の概要を示すフローチャートである。まず制御部４９は、撮影を開始し（ステップＳ７０１）、一定時間経過したら本処理を終了するように制御部４９内のタイマーのカウントを開始する（ステップＳ７０２）。
【０１０１】
この後、携帯端末３の制御部４９は、撮像部３１が撮影した画像を用いて、通信設定に必要な情報（通信設定データ）を要求している撮像装置１の照明光発生部２１が照射する照明光を検出する（ステップＳ７０３）。ここで、照明光の発光の検出は、例えば特定の波長の光から判断してもよいし、照明光を点滅させる場合には点滅パターンから検出してもよい。
【０１０２】
携帯端末３が照明光を検出した場合（ステップＳ７０４：Ｙｅｓ）、制御部４９は、通信設定データを撮像装置１に取得させるため、表示部４２に通信設定データを表示させる（ステップＳ７０５）。具体的には、表示部４２は、通信設定データをコード化したバーコードまたは２次元コード等を表示する。なお、表示部４２がバーコードまたは２次元コードを表示する代わりに、表示部４２が表示する情報を時間とともに変化させていき、一定時間をかけて通信設定データの全体を表示させるアニメーション表示を行うようにしてもよい。
【０１０３】
これに対し、携帯端末３が照明光を検出しない場合（ステップＳ７０４：Ｎｏ）、携帯端末３は通信設定データを非表示とする（ステップＳ７０６）。
【０１０４】
ステップＳ７０５またはＳ７０６の処理の後、制御部４９がタイマーのカウントを開始してから一定時間（例えば３０秒程度）経過した場合（ステップＳ７０７：Ｙｅｓ）、制御部４９は、タイマーのカウントの停止（ステップＳ７０８）、撮影の停止（ステップＳ７０９）、および通信設定データの表示部４２における非表示制御（ステップＳ７１０）を順次実行する。
【０１０５】
ステップＳ７０７で制御部４９がタイマーのカウントを開始して一定時間経過していない場合（ステップＳ７０７：Ｎｏ）、携帯端末３はステップＳ７０３へ戻る。
【０１０６】
以上説明した本発明の実施の形態１によれば、撮像部の撮像視野内の平面状の領域であって無線通信が可能な平面状の領域である通信可能領域を視認可能な態様で示すための領域情報を生成し、撮像部が撮像した画像データに基づいて通信可能領域に位置する通信装置を検出し、検出した通信装置との間で無線通信を行うため、領域情報に基づいて通信可能領域をユーザに視認させることができる。したがって、無線通信の対象とする通信装置を撮像することによって該通信装置との通信設定を容易に行うことができる。
【０１０７】
また、本実施の形態１によれば、無線通信設定を行う通信装置を配置すべき領域を照明光によって照明するため、通信装置のユーザはどこに通信装置を配置すればよいかを容易に認識することができる。したがって、通信の設定を容易に行うことが可能になる。
【０１０８】
また、本実施の形態１によれば、平面状の通信可能領域に配置された通信装置とのみ通信設定を行うことができるため、撮像装置との距離が遠すぎたり近すぎたりして撮像した画像の焦点が合っていないような通信装置とは通信を設定しない。したがって、より安全性が高い通信を実現することができる。
【０１０９】
また、本実施の形態１によれば、撮像装置のユーザは、表示部を見ながら画像データを送信することで携帯端末へ画像データを送ったという満足感を得ることができる一方、携帯端末のユーザは、照明光によって照明された通信可能領域内に自ら携帯端末を移動して撮像装置から画像データを受け取ったという満足感を得ることができる。したがって、お互いのやり取りの中で画像の受け渡しを行った思い出もユーザの記憶の中に残ることとなり、ユーザにとっては画像に対する愛着が一段と沸いてくることとなる。
【０１１０】
図１４は、撮像装置１が画像データを送信する際の表示部２２における表示内容の変化の別な例を示す図である。図１４（ａ）において、表示部２２は、ライブビューに通信不可能状態であることを示す画像および送信可能な画像データを重畳して表示する。図１４（ａ）では、携帯端末３ａ〜３ｃが通信可能状態にあり、携帯端末３ｄが通信不可能状態にある場合を示している。これに対して、図１４（ｂ）では、すべての携帯端末３ａ〜３ｄが通信可能状態にある場合を示している。
【０１１１】
この後、撮像装置１のユーザが、携帯端末３ａ〜３ｄへ送信したい画像をタッチして選択すると（図１４（ｃ））、選択された画像が表示部２２で拡大表示される（図１４（ｄ））。その後、撮像装置１が通信可能状態にある携帯端末３に対して画像データを送信を開始すると、表示部２２は、撮像装置１が携帯端末３ａ〜３ｄに対して画像データを送信中であることを示す情報を動画によって模式的に表示する（図１４（ｅ））。図１４（ｅ）では、送信した画像を、風でなびいている旗のように動画表示している。
【０１１２】
画像データの送信が完了すると、表示部２２は、図１４（ｆ）に示すように、携帯端末３ａ〜３ｄに送信した画像を重畳して表示する。なお、画像データの送信が完了した場合、携帯端末３ａ〜３ｄの表示部４２に受信した画像を表示するようにしてもよい。この場合には、図１４（ｆ）において、携帯端末３ａ〜３ｄの表示部４２の位置に表示されている画像を、ライブビュー画像とすることができる。
【０１１３】
なお、本実施の形態１において、照明光を照射して通信可能領域を明示する代わりに、例えばスポット径の小さい光によって通信可能領域の境界を周回しながら照射するようにしてもよい。
【０１１４】
（実施の形態２）
図１５は、本発明の実施の形態２に係る撮像装置の機能構成を示すブロック図である。同図に示す撮像装置５は、撮像装置１の構成に加えて、通信可能領域の設定情報を含むトリガ信号を生成する領域情報生成部５１をさらに備える一方、照明光発生部を有しない。また、撮像装置５の検出部５２は、通信対象となる携帯端末７が表示する識別情報を読み取る識別情報読取部５２１を有する。また、撮像装置５のＦｌａｓｈメモリ５３は、通信可能領域の設定情報を含む通信に関する情報を記憶する通信情報記憶部５３１を有する。これら以外の撮像装置５の構成は、撮像装置１の構成と同様である。
【０１１５】
図１６は、携帯端末７の機能構成を示すブロック図である。同図に示す携帯端末７は、照明光発生部を有しない。また、携帯端末７のＦｌａｓｈメモリ７１は、表示部４２が表示する識別情報を記憶する識別情報記憶部７１１と、通信に関する情報を記憶する通信情報記憶部７１２と、撮像装置５との通信用にインストールされているアプリケーションを記憶するアプリケーション記憶部７１３と、を有する。
【０１１６】
識別情報記憶部７１１が記憶する識別情報は、例えば２次元コードである。識別情報には、携帯端末７に固有のＩＤ等の情報に加えて、携帯端末７および表示部４２の大きさおよび形状に関する情報、表示部４２における識別情報の表示位置の情報、識別情報の表示位置の中心と携帯端末７の代表位置（例えば中心）との距離に関する情報、ならびに表示部４２の表示画面の向き（表示画面が矩形状をなしている場合には縦横方向）に関する情報等が含まれる。これ以外の携帯端末７の構成は、携帯端末３の構成と同様である。なお、携帯端末７の表面にＬＥＤを設け、このＬＥＤの点滅パターンを識別情報としてもよい。
【０１１７】
図１７は、撮像装置５の通信可能領域Ｓ１付近の状況を示す図である。本実施の形態２では、携帯端末７が撮像装置５の通信可能領域Ｓ１に入っているか否かの情報を、携帯端末７の表示部４２が表示する。
図１７において、携帯端末７ａは、通信可能領域Ｓ１の内部に入っているため、表示部４２が明るくなっている。
これに対し、携帯端末７ｂ〜７ｄは、通信可能領域Ｓ１の境界をまたいで置かれているため、表示部４２には通信可能領域Ｓ１の内部に入っている部分がグレーで表示されている。したがって、携帯端末７ｂ〜７ｄの表示部４２には、通信可能領域Ｓ１の境界がユーザに視認可能な態様で模式的に表示される。
また、携帯端末７ｅは、通信可能領域Ｓ１の外部に置かれているため、表示部４２が暗いままとなっている。
【０１１８】
このようにして、本実施の形態２では、携帯端末７の表示部４２が通信可能領域Ｓ１についての情報を表示するため、携帯端末７のユーザは、自分の携帯端末７が通信可能領域Ｓ１に対してどのような位置に置かれているのかを目視によって容易に判別することができる。
【０１１９】
図１８は、携帯端末７の表示部４２におけるより詳細な画面の遷移例を示す図である。
図１８（ａ）は、通信可能領域Ｓ１の外部に位置している場合の表示部４２における表示例を示す図である。図１８（ａ）では、識別情報Ｉｄ１〜Ｉｄ４の表示領域を除くすべての領域が黒くマスクされており、表示部４２が通信可能領域Ｓ１の内部に位置していないことを示している。
図１８（ｂ）は、表示部４２が通信可能領域Ｓ１の境界をまたいで位置している場合の表示部４２における表示例を示す図である。図１８（ｂ）では、表示部４２に通信可能領域の境界Ｋが模式的に明示されており、領域外が黒くマスクされる一方、領域内はグレーで表示されている。
図１８（ｃ）は、表示部４２全体が通信可能領域Ｓ１の内部に位置している場合の表示部４２における表示例を示す図である。
【０１２０】
図１８に示すように、表示部４２の４隅には、２次元コードからなる識別情報Ｉｄ１、Ｉｄ２、Ｉｄ３、Ｉｄ４が表示されている。識別情報Ｉｄ１〜Ｉｄ４は、携帯端末７に固有のＩＤ等の情報に加えて、携帯端末７および表示部４２の大きさおよび形状に関する情報、表示部４２における識別情報の表示位置の情報、識別情報の表示位置の中心と携帯端末７の代表位置（例えば中心）との距離に関する情報、ならびに表示部４２の表示画面の向き（表示画面が矩形状をなしている場合には縦横方向）に関する情報等を記録している。このため、識別情報Ｉｄ１〜Ｉｄ４は、互いのパターンがわずかに異なる。
【０１２１】
図１９は、本実施の形態２に係る通信システムが行う通信の概要を示すシーケンス図である。撮像装置５は、領域情報生成部５１が生成するフィードバック信号を定期的にかつ送信先を特定せずに（無差別に）送信する。このフィードバック信号には、通信可能領域の設定情報として、特定のチャンネル、周波数帯、通信方法（プロトコル）などの情報が含まれる。また、フィードバック信号には、ライブビュー画像を用いて識別情報読取部５２１が読み取った識別情報や位置情報も含まれる。以下、このような通信をフィードバック通信という。
【０１２２】
この後、入力部１８によってレリーズ信号が入力されると、撮像装置５は、通信可能領域内の携帯端末７に対して、通信を行うための情報（パスワード等の通信設定情報を含む）を送信するとともに、携帯端末７に対して通信を行うために必要な情報の送信を要求する信号（通信情報送信要求）を送信する。これらの信号を撮像装置５から受信した携帯端末７は、撮像装置５に対し、要求された通信情報を送信する。このようにして、撮像装置５は、通信可能領域Ｓ１内にある携帯端末７との通信の設定、確立を行う。
【０１２３】
図２０は、撮像装置５が行う通信設定処理の概要を示すフローチャートである。制御部２Ｃは、表示部２２にライブビューを開始させる（ステップＳ８０１）。図２１は、ライブビューにおける通信可能領域の表示部２２における表示例を示す図である。図２１に示すように、表示部２２では、通信可能領域２２１と、通信不可能領域２２２とが識別可能に表示されている。なお、図２１では、撮像した画像は省略している。通信可能領域２２１を設定する際には、例えば人間の平均的な身長と携帯端末７を載置するテーブル面の高さの平均的な値との関係を予め通信情報記憶部５３１に記憶させておき、この関係を用いて設定するようにしてもよい。
【０１２４】
この後、制御部２Ｃは、フィードバック通信を開始する（ステップＳ８０２）。フィードバック通信では、領域情報生成部５１が、特定のチャンネル、周波数帯、通信方法（プロトコル）などを設定し、この設定情報を含むトリガ信号を生成する。制御部２Ｃは、領域情報生成部５１が生成したトリガ信号を、無線通信部２０を介して無差別かつ定期的に送信する。
【０１２５】
続いて、検出部５２は、ライブビューの取り込みを行い（ステップＳ８０３）、取り込んだ画像データを解析し、その画像内に携帯端末７が存在するか否かを判定する（ステップＳ８０４）。このステップＳ８０４において、識別情報読取部５２１は、画像内の携帯端末７の識別情報の読み取りを行う。制御部２Ｃは、この読み取った識別情報および通信情報記憶部５３１が記憶している通信可能領域の情報に基づいて、携帯端末７の重心と通信可能領域の所定位置（例えば中心点）との距離を算出し、携帯端末７が通信可能領域内に存在しているか否かを判定する。
【０１２６】
図２２は、撮像装置５が判定を行っている最中の表示部２２における画面遷移例を示す図である。図２２（ａ）に示すように携帯端末７が配置された後、検出部１９が通信可能領域内の携帯端末７の有無を判定する。図２２（ｂ）は、検出部１９が判定している最中の表示部２２における画面表示例を示す図である。図２２（ｂ）に示すように、判定中の携帯端末７には、破線の枠部Ｆ１が重畳表示される一方、判定が終了した携帯端末７には、実線の枠部Ｆ２が重畳表示される。図２２（ｃ）は、すべての通信可能領域内のすべての携帯端末７の判定が終了した場合の表示部２２における画面表示例を示している。
【０１２７】
続いて、制御部２Ｃは、無線通信部２０を介して、通信設定領域情報に加えて、ステップＳ８０４で取得した携帯端末７の識別情報や位置情報を含むフィードバック信号を、相手を特定せず無差別に送信する（ステップＳ８０５）。
【０１２８】
この後、入力部１８によってレリーズ信号が入力された場合（ステップＳ８０６：Ｙｅｓ）、撮像装置５は、通信可能領域内にいると認識した携帯端末７に対して通信に必要な情報を送信するとともに、その携帯端末７に対して通信に必要な情報の送信を要求する信号を送信することによって、互いの通信情報を交換する（ステップＳ８０７）。ここでは、通信設定のトリガとしてレリーズ信号を用いているが、他にもタッチパネル１８１をタッチすることによって入力されるタッチ信号を通信設定のトリガとしてもよい。ステップＳ８０６において、入力部１８によってレリーズ信号が入力されない場合（ステップＳ８０６：Ｎｏ）、撮像装置５は、後述するステップＳ８１０へ移行する。
【０１２９】
続いて、制御部２Ｃは、交換した情報を用いて通信の設定、確立を行う（ステップＳ８０８）。この後、制御部２Ｃは、ユーザに対して設定の確認を促すための設定確認情報を表示部２２に表示させる（ステップＳ８０９）。
【０１３０】
通信設定の終了指示が入力された場合（ステップＳ８１０：Ｙｅｓ）、制御部２Ｃは、フィードバック通信を終了し（ステップＳ８１１）、表示部２２にライブビューを停止させる（ステップＳ８１２）。その後、撮像装置５はメインルーチンへ戻る。一方、通信設定の終了指示画入力されない場合（ステップＳ８１０：Ｎｏ）、撮像装置５は、ステップＳ８０３へ戻る。
【０１３１】
図２３は、携帯端末７が行う通信設定時処理の概要を示すフローチャートである。まず制御部４９は、フィードバック通信を開始する（ステップＳ９０１）。具体的には、制御部４９は、アプリケーション記憶部７１３からフィードバック通信用のアプリケーションを呼び出して起動する。その後、制御部４９は、タイマーのカウントを開始する（ステップＳ９０２）。
【０１３２】
続いて、制御部４９は、識別情報記憶部７１１が記憶する識別情報（２次元コード）を表示部４２に表示させる（ステップＳ９０３）。
【０１３３】
この後、無線通信部４０が、撮像装置５から識別情報、位置情報、および通信設定情報をフィードバック受信する（ステップＳ９０４）。この場合、フィードバック受信したデータに携帯端末７自身の識別情報（自識別情報）があるとき（ステップＳ９０５：Ｙｅｓ）、制御部４９は、撮像装置５からの距離や通信可能領域情報に基づいて表示部４２における領域表示を更新する（ステップＳ９０６）。領域表示は、例えば図１８（ｂ）に示すような表示であり、通信可能領域の境界Ｋが明示される。これに対し、フィードバック受信したデータに自識別情報がないとき（ステップＳ９０５：Ｎｏ）、制御部４９は表示部４２に領域表示を終了させ、識別情報のみを表示させる（ステップＳ９０７）。
【０１３４】
ステップＳ９０６またはＳ９０７の後、無線通信部４０が撮像装置５から通信情報および通信情報送信要求を受信して通信情報交換を行う場合（ステップＳ９０８：Ｙｅｓ）、無線通信部４０は、制御部４９の制御のもと、要求された通信情報を撮像装置５へ送信する（ステップＳ９０９）。一方、無線通信部４０が撮像装置５から通信情報または通信情報送信要求を受信せず、撮像装置５との間で通信情報交換を行わない場合（ステップＳ９０８：Ｎｏ）、携帯端末７は、ステップＳ９１０へ移行する。
【０１３５】
ステップＳ９１０で制御部４９がタイマーのカウントを開始して一定時間（例えば３０秒程度）経過している場合（ステップＳ９１０：Ｙｅｓ）、制御部４９は、表示部４２における識別情報の表示を終了させ（ステップＳ９１１）、タイマーカウントを停止し（ステップＳ９１２）、フィードバック通信を終了する（ステップＳ９１３）。
【０１３６】
ステップＳ９１０でタイマーのカウントを開始して一定時間経過していなければ（ステップＳ９１０：Ｎｏ）、携帯端末７はステップＳ９０４へ戻る。
【０１３７】
以上説明した本発明の実施の形態２によれば、撮像部の撮像視野内の平面状の領域であって無線通信が可能な平面状の領域である通信可能領域を視認可能な態様で示すための領域情報を生成し、撮像部が撮像した画像データに基づいて通信可能領域に位置する通信装置を検出し、検出した通信装置との間で無線通信を行うため、領域情報に基づいて通信可能領域をユーザに視認させることができる。したがって、無線通信の対象とするデバイスを撮像することによって該デバイスとの通信設定を容易に行うことができる。
【０１３８】
また、本実施の形態２によれば、無線通信設定を行う通信装置を配置すべき領域を携帯端末側で表示する機能を有しているため、通信装置のユーザはどこに通信装置を配置すればよいかを容易に認識することができる。したがって、通信の設定を容易に行うことが可能になる。
【０１３９】
また、本実施の形態２によれば、平面状の通信可能領域に配置された通信装置とのみ通信設定を行うことができるため、撮像装置との距離が遠すぎたり近すぎたりして撮像した画像の焦点が合っていないような通信装置とは通信を設定しない。したがって、より安全性が高い通信を実現することができる。
【０１４０】
また、本実施の形態２によれば、撮像装置のユーザは、表示部を見ながら画像データを送信することで携帯端末へ画像データを送ったという満足感を得ることができる一方、携帯端末のユーザは、自分の携帯端末に模式的に表示される通信可能領域の境界情報に基づいて自ら携帯端末を移動して撮像装置から画像データを受け取ったという満足感を得ることができる。したがって、お互いのやり取りの中で画像の受け渡しを行った思い出もユーザの記憶の中に残ることとなり、ユーザにとっては画像に対する愛着が一段と沸いてくることとなる。
【０１４１】
なお、本実施の形態２において、撮像装置５がいったん認識した携帯端末７のうち任意の携帯端末７をユーザが選択することによって通信対象から除外できるようにしてもよい。図２４は、この場合の表示部４２における画面遷移例を示す図である。図２４（ａ）に示すように、ユーザが通信対象から除外したい携帯端末７ｃをタッチすると、タッチされた携帯端末７ｃの枠部Ｆ２が削除され、認識状態が解除される（図２４（ｂ））。このとき、制御部２Ｃは、携帯端末７ｃを通信対象から除外する処理をあわせて行う。
【０１４２】
また、本実施の形態２において、携帯端末７の表示部４２における領域表示に対して通信可能領域への移動方向を案内する案内情報を重畳表示してもよい。図２５は、携帯端末７の表示部４２が案内情報を表示する場合の画面の遷移例を示す図である。図２５（ａ）、図２５（ｂ）は、表示部４２の全領域が通信可能領域に入っていない。このため、制御部４９は、識別情報Ｉｄ１〜Ｉｄ４に基づいて全領域が通信可能領域に含まれる方向を算出し、この方向を示す案内情報Ａｒを領域表示に重畳して表示する。この後、表示部４２の全領域が通信可能領域に含まれた場合には、図２５（ｃ）に示すように、表示画面が明るくなり、案内情報Ａｒの表示も消える。この場合、ユーザは、通信可能領域への移動の仕方を一段と容易に把握することができる。
【０１４３】
ここまで、本発明を実施するための形態を説明してきたが、本発明は上述した実施の形態によってのみ限定されるべきものではない。例えば、本発明に係る撮像装置において、撮像部の光学系が、本体部に対して着脱自在であるような構成としてもよい。
【０１４４】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１４５】
このように、本発明は、ここでは記載していない様々な実施の形態を含みうるものであり、特許請求の範囲によって特定される技術的思想の範囲内で種々の設計変更等を行うことが可能である。
【符号の説明】
【０１４６】
１、５  撮像装置
２Ｂ  バス
２Ｃ、４９  制御部
３、３ａ〜３ｄ、７、７ａ〜７ｅ  携帯端末
１１、３１  撮像部
１４、３４  画像処理部
１８、３８  入力部
１９、５２  検出部
２０、４０  無線通信部
２１、４１  照明光発生部
２２、４２  表示部
２４、４４  音声出力部
２８、４８、５３、７１  Ｆｌａｓｈメモリ
２９、５１  領域情報生成部
１００  通信システム
１８１、３８１  タッチパネル
１８２、３８２  音声入力部
２２１  通信可能領域
２２２  通信不可能領域
５２１  識別情報読取部
５３１  通信情報記憶部
７１１  識別情報記憶部
７１２  通信情報記憶部
７１３  アプリケーション記憶部
【図１】
0005901413.tif 000002
【図２】
0005901413.tif 000003
【図３】
0005901413.tif 000004
【図４】
0005901413.tif 000005
【図５】
0005901413.tif 000006
【図６】
0005901413.tif 000007
【図７】
0005901413.tif 000008
【図８】
0005901413.tif 000009
【図９】
0005901413.tif 000010
【図１０】
0005901413.tif 000011
【図１１】
0005901413.tif 000012
【図１２】
0005901413.tif 000013
【図１３】
0005901413.tif 000014
【図１４】
0005901413.tif 000015
【図１５】
0005901413.tif 000016
【図１６】
0005901413.tif 000017
【図１９】
0005901413.tif 000018
【図２０】
0005901413.tif 000019
【図２１】
0005901413.tif 000020
【図２２】
0005901413.tif 000021
【図２３】
0005901413.tif 000022
【図２４】
0005901413.tif 000023
【図１７】
0005901413.tif 000024
【図１８】
0005901413.tif 000025
【図２５】
0005901413.tif 000026